(57)【特許請求の範囲】
【請求項１】
第１の部材に固定され、第２の部材と連結する連結構造であって、
第１のワイヤ部と第２のワイヤ部とを並列に配置したワイヤと、
前記ワイヤが貫通するコイルスプリングと、
前記コイルスプリングの一方の端部から突出した前記第１のワイヤ部と前記第２のワイヤ部を共通に縛着する第１のワイヤ束ね部と、
前記コイルスプリングの他方の端部から突出した前記第１のワイヤ部と前記第２のワイヤ部を共通に縛着する第２のワイヤ束ね部と、
前記コイルスプリングの他方の端部から突出した前記第１のワイヤ部と前記第２のワイヤ部が貫通するとともに、前記第２のワイヤ束ね部と前記コイルスプリングの他方の端部との間に設けられ、かつ前記第１の部材と相対位置が固定した状態に設けられた環状部材と、
を有し
前記コイルスプリングは、前記環状部材と前記第１のワイヤ束ね部の間に抜け出し不能に配置されていることを特徴とする連結構造。
【請求項２】
前記ワイヤは一本のワイヤからなり、
前記ワイヤを前記第１のワイヤ部と前記第２のワイヤ部との領域に折り曲げる折り曲げ部を有することを特徴とする請求項１に記載の連結構造。
【請求項３】
前記折り曲げ部は、前記第２の部材との連結部として機能することを特徴とする請求項２に記載の連結構造。
【請求項４】
前記コイルスプリングが、弾性係数の相違する直列配置された複数のコイルスプリングからなることを特徴とする請求項１から３までのいずれか１項に記載の連結構造。
【請求項５】
請求項１〜４までのいずれか１項に記載の連結構造を有し、
前記第１の部材がベルトであって、前記第２の部材がカバン本体であることを特徴とするカバン。
【請求項６】
請求項１〜４までのいずれか１項に記載の連結構造を有し、
前記第１の部材がカバンであって、前記第２の部材がベルトであることを特徴とするカバン。
【請求項７】
請求項１〜４までのいずれか１項に記載の連結構造を有し、
前記第１の部材がベルト本体であって、
前記連結構造は前記ベルト本体の一端に設けられており、前記ベルト本体の他端に設けられた被連結構造と分離可能に連結することを特徴とするベルト。
【発明の詳細な説明】
【技術分野】
【０００１】
本発明は、連結構造、ベルトおよびカバンに関する。
【０００２】
連結構造として、衣服（特にズボン）を止めるベルトやカバンの肩掛けベルト、またそれらベルトを取り付ける金具部材などが知られている。従来、ショルダーバックやナップザック等の肩掛け式携帯小物入れは、重さを肩で受けて手が空くため、歩行の邪魔にならずに使い勝手がよいことから、広く用いられている。そして、発明者は肩全体に掛かる動的な力の変動を抑え、特に、走行時、階段の昇降時あるいは坂道の歩行時に生じるか荷重の変動幅（荷重のピーク）を抑える発明を開示している（例えば、特許文献１参照）。
【先行技術文献】
【特許文献】
【０００３】
【特許文献１】特開２０１７−１２４１３９号公報（第２頁、図１）
【発明の概要】
【発明が解決しようとする課題】
【０００４】
特許文献１に開示の肩掛け式携帯小物入れは、連結構造としてバッグ部に伸縮部材を介して接続されたベルト部を有するものであり、荷重のピークを抑え快適性を高めている。しかしながら、更に、ベルトが捩れた際の手直しを迅速に行いという要請や、安価にしたいという要請があった。
【０００５】
本発明はこのような状況に鑑みなされたものであって、例えばベルトが作用する利用者の部位（例えば肩全体など）に掛かる動的な力を平均化すると共に、ベルトが捩れた際の手直しを迅速にすることができる連結構造を提供することにある。さらに、別の観点では、荷重の軽重に関わらず荷重ピークを抑えることができる連結構造を提供することにある。
【課題を解決するための手段】
【０００６】
［態様１］  本発明の態様１は、第１の部材に固定され、第２の部材と連結する連結構造であって、
第１のワイヤ部と第２のワイヤ部とを並列に配置したワイヤと、
前記ワイヤが貫通するコイルスプリングと、
前記コイルスプリングの一方の端部から突出した前記第１のワイヤ部と前記第２のワイヤ部を共通に縛着する第１のワイヤ束ね部と、
前記コイルスプリングの他方の端部から突出した前記第１のワイヤ部と前記第２のワイヤ部を共通に縛着する第２のワイヤ束ね部と、
前記コイルスプリングの他方の端部から突出した前記第１のワイヤ部と前記第２のワイヤ部が貫通するとともに、前記第２のワイヤ束ね部と前記コイルスプリングの他方の端部との間に設けられ、かつ前記第１の部材と相対位置が固定した状態に設けられた環状部材と、
前記コイルスプリングは、前記環状部材と前記第１のワイヤ束ね部の間に抜け出し不能に配置されている。
［態様２］  本発明の態様２は、
前記ワイヤは一本のワイヤからなり、
前記ワイヤを前記第１のワイヤ部と前記第２のワイヤ部との領域に折り曲げる折り曲げ部を有する。
［態様３］  本発明の態様３は、前記折り曲げ部が前記接続部材として機能する。
［態様４］  本発明の態様４は、前記コイルスプリングが互いに弾性係数の相違する直列配置された複数のコイルスプリングからなる。
［態様５］  本発明の態様５は、カバンであって、上述の連結構造を有し、
前記第１の部材がベルトであって、前記第２の部材がカバン本体である。
［態様６］  本発明の態様６は、カバンであって、上述の連結構造を有し、
前記第１の部材がカバン本体であって、前記第２の部材がベルトである。
［態様７］  本発明の態様７は、ベルトであって、上述の連結構造を有し、
前記第１の部材がベルト本体であって、
前記連結構造（バックル付きでもよい）は前記ベルト本体の一端に設けられており、前記ベルト本体の他端に設けられた被連結構造（ベルト孔）と分離可能に連結する。
【発明の効果】
【０００７】
本発明によれば、例えばベルトが作用する利用者の部位（例えば肩全体など）に掛かる動的な力を平均化すると共に、ベルトが捩れた際の手直しを迅速にすることができる連結構造を提供することができる。別の観点では、荷重の軽重に関わらず荷重ピークを抑えることができる連結構造を提供することができる。
【図面の簡単な説明】
【０００８】
【図１】第１の実施形態に係る、カバンの斜視図である。
【図２】第１の実施形態に係る、連結構造の一部分解斜視図である。
【図３】第１の実施形態に係る、連結構造の組み立て工程を示した図である。
【図４】第１の実施形態に係る、別の例のカバンの斜視図である。
【図５】第２の実施形態に係る、衣服に用いるベルトの平面図である。
【図６】第２の実施形態に係る、衣服に用いるベルトの写真である。
【図７】第３の実施形態に係る、連結構造を両端に備えたベルトの写真である。
【発明を実施するための形態】
【０００９】
＜＜第１の実施形態＞＞
図１（ａ）は本実施形態に係るカバン１００の斜視図であり、図１（ｂ）はカバン１００の連結構造３の内部構造が認識可能に示している。このカバン１００は、いわゆるトートバックであり、カバン本体１と、カバン本体１の上部収納口に二つのベルト２が、それぞれ連結構造３により取り付けられている。なお、一つのベルト２は、両端において、同じ構造の連結構造３によってカバン本体１に取りつけられている。
【００１０】
連結構造３は、詳細は後述するが、ワイヤ４とコイルスプリング６とを有し、それらをカバー部材３９でカバン本体１の上部収納口の周縁に取り付け、一方、ワイヤ４をベルト２に取り付ける構造となっている。
【００１１】
図２は、連結構造３の一部分解斜視図である。図示のように、連結構造３は、カバー部材３９と、ワイヤ４と、コイルスプリング６と、複数の固定部材５（第１の束ね部５ａ、第２の束ね部５ｂ、ハトメ部５ｃ）とを有している。
【００１２】
＜カバー部材３９＞
カバー部材３９は、革や綿、ポリエステルなどの材料であって、一定の強度を有する長方形（帯状）を呈し、二つ折りにされている。二つ折りになっている折り返し部分３９ａの幅方向中央には、環状部材であるハトメ部５ｃが設けられている。
【００１３】
ハトメ部５ｃの内径は、ワイヤ４（具体的には後述の第１のワイヤ４１と第２のワイヤ４２を束ねた状態）より大きく、第２の束ね部５ｂの大きさ（外径）やコイルスプリング６の第２の端部６ｂの外径より小さい。
【００１４】
＜ワイヤ４＞
ワイヤ４は、一本のスチール製ワイヤが折り曲げ部４３で二つ折り返されている。すなわち、ワイヤ４は、折り曲げ部４３の折り返し構造により、略直線状に配置された一対の第１のワイヤ４１と、第２のワイヤ４２とを有する。なお、ワイヤ４の材料として、スチール製に限らず、ステンレスやアルミニウム合金等の金属や、プラスチック、綿などの各種材料を適用することができる。
【００１５】
ワイヤ４の長さは、第１のワイヤ４１と第２のワイヤ４２に束ねた状態で、コイルスプリング６に挿入時に両端が突出し、折り曲げ部４３を設け、かつ、折り曲げ部４３と反対側の端部４１ａ、４２ａで第１の束ね部５ａで縛着できるように設定される。
【００１６】
ワイヤ４の太さ（外径）は、第１のワイヤ４１と第２のワイヤ４２とを一体配置したときに、コイルスプリング６に挿通でき、かつ、必要とされる荷重に耐えるように設定される。
【００１７】
折り曲げ部４３は、ワイヤ４を筒状部材４５に貫通させ、ワイヤ４の略中央部分を筒状部材４５で折り返し、さらに筒状部材４５の両端から突き出ているワイヤ４を第２の束ね部５ｂで束ねている。言い換えると、折り曲げ部４３は、コイルスプリング６の第２の端部６ｂから突き出た領域に、第２の束ね部５ｂにより第１のワイヤ４１と第２のワイヤ４２とを縛着することで形成されている。第１のワイヤ４１と第２のワイヤ４２のそれぞれにおいて第２の束ね部５ｂに縛着されている部分を便宜的にワイヤ縛着部４１ｂ、４２ｂという。
【００１８】
これによって、折り曲げ部４３は、略三角形を形成するように折り曲げられており、略三角形を構成する３辺のうち第２の束ね部５ｂと対向する位置の辺に、ワイヤ４が貫通する筒状部材４５を有する。
【００１９】
筒状部材４５にベルト２の一端が取りつけられる。なお、筒状部材４５を設けずに、折り曲げ部４３に直接ベルト２が取りつけられてもよい。
【００２０】
第２の束ね部５ｂは、例えば、筒状のカシメ部材であり、第１のワイヤ４１と第２のワイヤ４２とを共通にカシメにより縛着している第１のワイヤ４１と第２のワイヤ４２は、コイルスプリング６に貫通された後に、第１のワイヤ４１と第２のワイヤ４２の端部４１ａ、４２ａが第１の束ね部５ａで束ねられる。第１の束ね部５ａは、筒状のカシメ部材である。
【００２１】
＜コイルスプリング６＞
コイルスプリング６は、圧縮コイルばねであって、第１のワイヤ４１と第２のワイヤ４２が挿通される。コイルスプリング６は、単一のコイルで設けられてもよいし、複数のコイルを直列に配置した組み合わせバネであってもよい。また、コイルスプリング６のバネ定数（弾性係数）は、全体わたり同じになるように形成されてもよいし、部分によって異なるように形成されてもよい。また、直列配置の組み合わせバネ（組バネともいう）の場合に、コイルによって異なるバネ定数であってもよい。異なるバネ定数のコイルスプリング６を組み合わせることで、連結構造３としての伸縮量や荷重平均化機能を調整することができる。
【００２２】
なお、コイルスプリング６の第１の端部６ａの外径は、第１の束ね部５ａ、ハトメ部５ｃより小さい。すなわち、コイルスプリング６は、第１のワイヤ４１と第２のワイヤ４２とを並列配置して挿通させた状態で、第１の束ね部５ａとハトメ部５ｃとの間で移動できるが抜けだし不能となっている。
【００２３】
＜連結構造３の組み立て行程＞
以上の構成の連結構造３について、図３に示す組み立て工程（第１〜第４工程）をもとに説明する。なお、第３工程と第４工程では、カバー部材３９の一部を取り除いた状態で内部構造を理解しやすくした図を併記している。
【００２４】
第１工程：
第１のワイヤ４１と第２のワイヤ４２とに折り曲げて第２の束ね部５ｂ（ワイヤ縛着部４１ｂ、４２ｂ）で縛着したワイヤ４を、端部４１ａ、４２ａ側からカバー部材３９のハトメ部５ｃに挿通させる。
【００２５】
第２工程：
つづいて、第１のワイヤ４１と第２のワイヤ４２の端部４１ａ、４２ａを、コイルスプリング６の図示上側の第２の端部６ｂから挿通させ下側の第１の端部６ａから突出させる。
【００２６】
第３工程：
コイルスプリング６を貫通させた第１のワイヤ４１と第２のワイヤ４２の端部４１ａ、４２ａから第１の束ね部５ａとして用いる筒状のカシメ部を挿通し、コイルスプリング６の第１の端部６ａに押し当てながら適当な位置まで移動させる。このとき、コイルスプリング６では、図示上側の第２の端部６ｂがハトメ部５ｃに当接し、一方、図示下側の第１の端部６ａが第１の束ね部５ａに当接する。
【００２７】
第４工程：
第１の束ね部５ａを第３工程で定めた位置で潰して加締めることで、第１の束ね部５ａは、所定の位置でワイヤ４（第１のワイヤ４１、第２のワイヤ４２）に縛着される。これによって、コイルスプリング６は、所定の弾性力をもった状態で、ハトメ部５ｃと第１の束ね部５ａとの間に配置される。
【００２８】
これによって、連結構造３の部品が完成する。このとき、カバー部材３９の表裏を縫い合わせ、また、ワイヤ４が配置される領域近傍を縫い合わせ、構成部材を一定領域に固定してもよい。この後、連結構造３は、図１に示すように、カバン本体１に取りつけられる。なお、カバー部材３９はカバン本体１の構成の一部であってもよい。また、連結構造３のカバー部材３９がベルト２に取りつけられ、折り曲げ部４３がカバン本体１に取りつけられてもよい。
【００２９】
＜まとめ＞
本実施形態の連結構造３を有するカバン１００によれば、ベルト２を持つ使用者の手や肩に掛かる動的な力を平均化することができる。また、ベルト２が捩れた際の手直しを迅速にすることができる。またさらに、荷重の軽重に関わらず荷重ピークを抑えることができる。
【００３０】
また、一対の略直線部分（第１のワイヤ４１、第２のワイヤ４２）がハトメ部５ｃ内で回転自在であるから、ベルト２に捩れが生じ難くなる。また、捩れが生じた場合でも手直しが容易になる。また、伸縮部材３を構成する部材点数が少なく製造コストが安価で実現できる。さらに、互いにバネ定数（弾性係数）の相違する複数のコイルスプリング６を用いる場合には、軽荷物の場合は、低弾性係数のコイルスプリングが機能し、重荷物の場合に低い弾性係数のコイルスプリングが圧縮限界に至つても、今度は高弾性係数のコイルスプリングが機能するから、快適性が一層向上する。
【００３１】
＜第１の実施形態の他の適用例＞
なお、本実施形態では、連結構造３をトートバックのカバン１００に適用した例を示したが、図４に示すように、バックパック（リュックサック）タイプのカバン１００に適用することもできる。
【００３２】
＜＜第２の実施形態＞＞
図５及び図６を参照して第２の実施形態を説明する。本実施形態では、第１の実施形態と同様の連結構造３を有する衣服用のベルト２００を説明する。以下では、第１の実施形態と異なる点について説明し、同様の点は適宜説明を省略する。
【００３３】
図５（ａ）はベルト２００の平面図であり、図５（ｂ）は連結構造３の内部構造を認識しやすいようにカバー部材３９の一部を省いて示している。図６はベルト２００の写真を示している。
【００３４】
ベルト２００は、革などの帯状部材からなるベルト本体２０１と、ベルト本体２０１の一方の端部２２１に設けられた連結構造３とを有する。
【００３５】
連結構造３は、カバー部材３９と、ワイヤ４（第１のワイヤ４１、第２のワイヤ４２）とコイルスプリング６と、複数の固定部材５を有し、それらをカバー部材３９でベルト本体２０１の一方の端部２２１に取り付けられる。
【００３６】
ワイヤ４の折り曲げ部４３に、筒状部材４５を回してバックル９が取りつけられている。バックル９は、ベルト本体２０１を通し、他方の端部２２２側に設けられた複数のベルト孔２２３から選択したいずれかで係止する。
【００３７】
カバー部材３９の先端側（折り返し部分３９ａ）の幅方向中央にハトメ部５ｃが設けられている。コイルスプリング６は、ハトメ部５ｃとワイヤ４（第１のワイヤ４１、第２のワイヤ４２）の第１の束ね部５ａとの間に抜けだし不能に配置される。
【００３８】
本実施形態の連結構造３を有するベルト２００によれば、ベルト２を巻いた使用者の腹部等に掛かる動的な力を平均化することができる。また、例えば、使用者が歩行中や走行中には、腹部の筋肉等の動きで、腹部が膨らんだり凹んだりするが、そのような時でも、ベルト２００を固定する力を略一定に保ち、腹部に掛かる動的な力を平均化できる。
【００３９】
＜＜第３の実施形態＞＞
図７を参照して第３の実施形態を説明する。本実施形態では、第１、２の実施形態と同様の連結構造３を有する汎用のベルト３００を説明する。以下では、第１、２の実施形態と異なる点について説明し、同様の点は適宜説明を省略する。
【００４０】
図７（ａ）はベルト３００の写真（平面図）であり、図７（ｂ）はベルト３００を手提げ袋３５０に取りつけた状態の写真である。
【００４１】
本実施形態のベルト３００は、第２の実施形態のベルト２００と同様の形態を示しているが、主に以下の項目（１）〜（３）で相違する。
（１）：連結構造３がベルト本体３０１の両端に設けている点
（２）：ワイヤ４（第１のワイヤ４１、第２のワイヤ４２）が一本のワイヤを折り曲げたものではなく２本の同じワイヤを並べて第１の束ね部５ａ、第２の束ね部５ｂで縛着したものである。
（３）：折り曲げ部４３が無く、第２の束ね部５ｂの端部に係止用のスプリングフック９Ａが設けられている。
【００４２】
本実施形態の連結構造３を有するベルト３００によれば、様々な被接続部材に取りつけられて利用でき、連結構造３を持つ使用者に掛かる動的な力を平均化することができる。なお、スプリングフック９Ａの替わりにクリップのような挟持部材が用いられてもよい。
【００４３】
以上、本発明の実施形態を説明したが、これらは例示であって、様々な変形例が可能である。変形例として、連結構造３を適用する製品として、例えば、腕時計のベルトや、ズボン等を吊り下げるサスペンダーなどがある。
【００４４】
本発明の特徴を簡単に纏めると以下の通りである。
発明の態様１は、第１の部材（１）に固定され、第２の部材（２）と連結する連結構造（３）であって、
第１のワイヤ部（４１）と第２のワイヤ部（４２）とを並列に配置したワイヤ（４）と、
前記ワイヤ（４）が貫通するコイルスプリング（６）と、
前記コイルスプリング（６）の一方の端部（６ａ）から突出した前記第１のワイヤ部（４１）と前記第２のワイヤ部（４２）を共通に縛着する第１のワイヤ束ね部（５ａ）と、
前記コイルスプリング（６）の他方の端部（６ｂ）から突出した前記第１のワイヤ部（４１）と前記第２のワイヤ部（４２）を共通に縛着する第２のワイヤ束ね部（５ｂ）と、
前記コイルスプリング（６）の他方の端部（６ｂ）から突出した前記第１のワイヤ部（４１）と前記第２のワイヤ部（４２）が貫通するとともに、前記第２のワイヤ束ね部（５ｂ）と前記コイルスプリング（６）の他方の端部（６ｂ）との間に設けられ、かつ前記第１の部材（１）と相対位置が固定した状態に設けられた環状部材（５ｃ）と、
前記コイルスプリング（６）は、前記環状部材（５ｃ）と前記第１の束ね部（５ａ）の間に抜け出し不能に配置されている。
本発明の態様２は、
前記ワイヤ（４）は一本のワイヤからなり、
前記ワイヤ（４）を前記第１のワイヤ部（４１）と前記第２のワイヤ部（４２）との領域に折り曲げる折り曲げ部（４３）する。
本発明の態様３は、前記折り曲げ部（４３）が前記接続部材（２０）として機能する。
本発明の態様４は、前記コイルスプリング（６）が互いに弾性係数の相違する直列配置された複数のコイルスプリングからなる。すなわち、コイルスプリング（６）は直列タイプの組バネである。
本発明の態様５は、カバン（１００）であって、上述の連結構造（３）を有し、
前記第１の部材がベルト（２）であって、前記第２の部材がカバン本体（１）である。
本発明の態様６は、カバンであって、上述の連結構造（３）を有し、
前記第１の部材がカバン本体であって、前記第２の部材がベルトである。すなわち、カバン本体とベルトとの連結構造３の取付態様が第５態様のカバンと反対である。
本発明の態様７は、ベルト（２００、３００）であって、上述の連結構造（３）を有し、
前記第１の部材がベルト本体（２０１）であって、
前記連結構造（３）は前記ベルト本体（２０１）の一端（２２１）に設けられており、前記ベルト本体（２０１）の他端（２２２）に設けられた被連結構造（例えばベルト孔２２３）と分離可能に連結する。
【符号の説明】
【００４５】
１  カバン本体
２、２００、３００  ベルト
３  連結構造
４  ワイヤ
５  固定部材
５ａ  第１の束ね部
５ｂ  第２の束ね部
５ｃ  ハトメ部５ｃ（環状部材）
６  コイルスプリング
６ａ  第１の端部
６ｂ  第２の端部
３９  カバー部材
３９ａ  折り返し部分
４１  第１のワイヤ
４１ａ、４２ａ  端部
４１ｂ、４２ｂ  ワイヤ縛着部
４２  第２のワイヤ
１００  カバン
２０１  ベルト本体
２２１、２２２  端部
２２３  ベルト孔
【要約】
【課題】ベルト等が作用する利用者の部位に掛かる動的な力を平均化すると共に、ベルトが捩れた際の手直しを迅速にすることができる連結構造を提供する。
【解決手段】カバンのカバン本体とベルトを連結する連結構造３は、並列配置した第１及び第２のワイヤ部４１、４２と、第１及び第２のワイヤ部４１、４２が貫通するコイルスプリング６と、を有し、コイルスプリング６は、ハトメ部５ｃと第１の束ね部５ａの間に抜け出し不能に配置されている。
【選択図】図２【図１】
0006792304.tif 000002
【図２】
0006792304.tif 000003
【図３】
0006792304.tif 000004
【図４】
0006792304.tif 000005
【図５】
0006792304.tif 000006
【図６】
0006792304.tif 000007
【図７】
0006792304.tif 000008